(57)【特許請求の範囲】
【請求項１】
原稿圧着板を有する事務機器の機器本体側に取り付けられた両側板を有する取付部材と、この取付部材の両側板に第１ヒンジピンを介してその両側板を回動可能に取り付けられた支持部材と、この支持部材の自由端側に第２ヒンジピンを介して当該支持部材と重なり合う方向へ回動可能に取り付けられたところの前記原稿圧着板を取り付けるリフト部材と、前記取付部材の両側板に設けた受圧部材と、前記支持部材の自由端側に設けた作動ピンと、前記支持部材にスライド可能に取り付けられた前記作動ピンと前記受圧部材の間にスライド可能に設けられた第１スライダー及び第２スライダーと、前記第１スライダー及び第２スライダーとの間に弾設され、前記第１スライダー及び第２スライダーを前記受圧部材及び前記作動ピンにそれぞれ押し付けて前記原稿圧着板を開成方向に回転付勢するコンプレッションスプリングとを備えた原稿圧着板開閉装置であって、
前記第１スライダーに前記コンプレッションスプリングの弾力を調節する弾力調節手段を設け、
この弾力調節手段を、前記第１スライダー内に回転可能に設けられ、前記コンプレッションスプリング内に延びるアジャスト部を有する操作プレートと、この操作プレートのアジャスト部に軸方向に移動可能に設けられ、軸回りに回転しないと共に前記コンプレッションスプリングの端部が当接するアジャストプレートと、前記操作プレートに設けられ、前記第１スライダーに設けられた貫通孔から外部に露出される操作部とを有し、この操作部を介して前記操作プレートを回転させて前記アジャスト部に対する前記アジャストプレートの位置を調節して前記コンプレッションスプリングの弾力を調節するように構成したことを特徴とする、原稿圧着板開閉装置。
【請求項２】
前記操作プレートは、円板状に形成され、この操作プレートの一方の面に、その軸方向に延びると共に外周にネジ溝が設けられている前記アジャスト部が設けられ、前記操作プレートの他方の面に、その軸方向に延びると共に前記貫通孔に回転可能に嵌合されている前記操作部が設けられていることを特徴とする、請求項１に記載の原稿圧着板開閉装置。
【請求項３】
前記アジャストプレートは平面非円形に形成され、このアジャストプレートを収容する前記スライダーのスプリング収容部は横断面非円形に形成され、このアジャストプレートの中央部に、前記アジャスト部と螺合するアジャスト孔が設けられていることを特徴とする、請求項１記載の原稿圧着板開閉装置。
【請求項４】
前記一対のスライダー内に、前記コンプレッションスプリングが２つ以上並列され、これらコンプレッションスプリングの少なくとも１つのコンプレッションスプリングの少なくとも一方の端部に、前記操作プレート及び前記アジャストプレートが設けられていることを特徴とする、請求項１〜３のいずれか１項に記載の原稿圧着板開閉装置。
【請求項５】
前記請求項１〜４のいずれか１項に記載の原稿圧着板開閉装置を備えたことを特徴とする、原稿圧着板を備えた事務機器。
【発明の詳細な説明】
【技術分野】
【０００１】
本発明は、複写機、印刷機、ファクシミリ、スキャナー等の原稿圧着板を有する事務機器に用いて好適な、原稿圧着板開閉装置、及びその原稿圧着板を備えた事務機器に関するものである。
【背景技術】
【０００２】
複写機、印刷機、ファクシミリ、スキャナー等の事務機器の機器本体には、その機器本体の上面後部に機器本体に備えたコンタクトガラスの上面を覆う原稿圧着板が原稿圧着板開閉装置を介して開閉可能に取り付けられている。原稿圧着板開閉装置は、一種のヒンジ機構であり、原稿圧着板をヒンジ軸まわりに回動可能に軸支して、機器本体の上面のコンタクトガラス上に原稿圧着板を圧着させることができると共に、そのコンタクトガラスを露出させることができる。原稿をコンタクトガラス上にセットするには、原稿圧着板を開いてコンタクトガラスの上面を露出させ、そのコンタクトガラス上に原稿を載置した後、原稿圧着板を閉じて、原稿圧着板で原稿をコンタクトガラス上に圧着させるものである。
【０００３】
このような原稿圧着板開閉装置の中には、コンプレッションスプリングの弾力により本来の重量を感じさせることなく原稿圧着板を開くことができる原稿圧着板開閉装置が知られている（例えば、特許文献１、２参照。）。この原稿圧着板開閉装置は、事務機器の機器本体に取り付けられる取付部材と、この取付部材にヒンジピンを介して回動可能に設けられていると共に原稿圧着板を支持する支持部材と、支持部材と取付部材との間に設けられる一対のスプリング受け部材を兼ねる一対のスプリングケースと、この一対のスプリングケース間に弾設され支持部材を開成方向へ付勢するコンプレッションスプリングとを備えている。このコンプレッションスプリングによって支持部材を介して原稿圧着板が開成方向に回転付勢されているので、原稿圧着板を開成方向に回転するときには、コンプレッションスプリングの弾力により本来の重量を感じさせることなく原稿圧着板を開くことができる。
【特許文献１】特開２００４−１０１６２０号
【特許文献２】実公平５−８５９９号
【発明の開示】
【発明が解決しようとする課題】
【０００４】
特許文献１、２に記載されている原稿圧着板開閉装置は、コンプレッションスプリングの弾力を変化させて支持部材の回転トルクを調節するトルク調節手段が設けられている。特許文献１に記載されている原稿圧着板開閉装置では、コンプレッションスプリング内に収装され、一対のスプリングケースのどちらか一方に回転可能に支持されるダンパーを備え、このダンパーの外周のネジ部に、ダンパーの軸方向には移動するが、ダンパーの軸回りには回転できないアジャストプレートが螺合されている。このアジャストプレートにはコンプレッションスプリングの一端部が当接されてダンパーを回転させることによって、アジャストプレートがダンパーに対して軸方向に回転移動して、コンプレッションスプリングの弾力が変化するようになっている。しかし、ダンパーはスプリングケース内のコンプレッションスプリング内に設けられているために、ダンパーの回転を行い難いので、トルクの調節を簡単に行えず、操作性が悪いという問題があった。
【０００５】
また、特許文献２に記載されている原稿圧着板開閉装置では、一方のスプリングケースに螺合されている調節ネジで軸方向へ移動可能にスプリング受座を設け、調節ネジを回転させることによってスプリングケース内のスプリング受座が移動し、コンプレッションスプリングの弾力が変化するようになっている。調節ネジはスプリングケースから突出しているので、調節ネジを回転させてスプリング受座の位置を調節し易いが、しかし、調節ネジを回転させる際に、スプリング受座がスプリングケース内で回転し得る状態で設けられているために、調節ネジの回転によってスプリング受座が回転して、この回転に伴ってコンプレッションスプリングの端部が移動してコンプレッションスプリングが捩じれることがあり、その結果、コンプレッションスプリングの弾力を所望の弾力に調節することができない、すなわち、トルクの調節を正確に行えないことがある。
【０００６】
本発明の目的は、トルクの調節を簡単にしかも正確に行える原稿圧着板開閉装置及び原稿圧着板を備えた事務機器を提供することにある。
【課題を解決するための手段】
【０００７】
前記の目的を達成するために本発明に係る原稿圧着板開閉装置は、原稿圧着板を有する事務機器の機器本体側に取り付けられた両側板を有する取付部材と、この取付部材の両側板に第１ヒンジピンを介してその両側板を回動可能に取り付けられた支持部材と、この支持部材の自由端側に第２ヒンジピンを介して当該支持部材と重なり合う方向へ回動可能に取り付けられたところの前記原稿圧着板を取り付けるリフト部材と、前記取付部材の両側板に設けた受圧部材と、前記支持部材の自由端側に設けた作動ピンと、前記支持部材にスライド可能に取り付けられた前記作動ピンと前記受圧部材の間にスライド可能に設けられた第１スライダー及び第２スライダーと、前記第１スライダー及び第２スライダーとの間に弾設され、前記第１スライダー及び第２スライダーを前記受圧部材及び前記作動ピンにそれぞれ押し付けて前記原稿圧着板を開成方向に回転付勢するコンプレッションスプリングとを備えた原稿圧着板開閉装置であって、前記第１スライダーに前記コンプレッションスプリングの弾力を調節する弾力調節手段を設け、この弾力調節手段を、前記第１スライダー内に回転可能に設けられ、前記コンプレッションスプリング内に延びるアジャスト部を有する操作プレートと、この操作プレートのアジャスト部に軸方向に移動可能に設けられ、軸回りに回転しないと共に前記コンプレッションスプリングの端部が当接するアジャストプレートと、前記操作プレートに設けられ、前記第１スライダーに設けられた貫通孔から外部に露出される操作部とを有し、この操作部を介して前記操作プレートを回転させて前記アジャスト部に対する前記アジャストプレートの位置を調節して前記コンプレッションスプリングの弾力を調節するように構成したことを特徴とする。
【０００８】
この発明によれば、弾力調節手段が、スライダー内に回転可能に設けられ、アジャスト部を有する操作プレートと、アジャスト部に軸方向に移動可能に設けられ、軸回りに回転しないと共にコンプレッションスプリングの端部が当接するアジャストプレートと、操作プレートに設けられ、スライダーに設けられた貫通孔から外部に露出されて操作プレートを回転させる操作部とを有することで、操作プレートを回転させると、アジャスト部に対するアジャストプレートは回転することなく軸方向に移動するために、コンプレッションスプリングは捩じれることなく端部間の長さが調節されてコンプレッションスプリングの弾力が変化するので、トルクの調節を正確に行える。また、操作部がスライダーの貫通孔から外部に露出されているために、操作プレートの操作が簡単になる、すなわち、トルクの調節を簡単に行えることになる。
【０００９】
本発明に係る原稿圧着板開閉装置において、前記操作プレートは、円板状に形成され、この操作プレートの一方の面に、その軸方向に延びると共に外周にネジ溝が設けられている前記アジャスト部が設けられ、前記操作プレートの他方の面に、その軸方向に延びると共に前記貫通孔に回転可能に嵌合されている前記操作部が設けられていることが好ましい。また、本発明に係る原稿圧着板開閉装置において、前記アジャストプレートは平面非円形に形成され、このアジャストプレートを収容する前記スライダーのスプリング収容部は横断面非円形に形成され、このアジャストプレートの中央部に、前記アジャスト部と螺合するアジャスト孔が設けられていることが好ましい。また、本発明に係る原稿圧着板開閉装置において、前記一対のスライダー内に、前記コンプレッションスプリングが２つ以上並列され、これらコンプレッションスプリングの少なくとも１つのコンプレッションスプリングの少なくとも一方の端部に、前記操作プレート及び前記アジャストプレートが設けられていることが好ましい。
【００１０】
また、前記の目的を達成するために本発明に係る原稿圧着板を備えた事務機器は、前記の本発明に係る原稿圧着板開閉装置を備えたことを特徴とする。この発明によれば、前述と同様に、弾力調節手段が、スライダー内に回転可能に設けられ、アジャスト部を有する操作プレートと、アジャスト部に軸方向に移動可能に設けられ、軸回りに回転しないと共にコンプレッションスプリングの端部が当接するアジャストプレートと、操作プレートに設けられ、スライダーに設けられた貫通孔から外部に露出されて操作プレートを回転させる操作部とを有することから、スライダーの貫通孔から外部に露出されている操作部によって操作プレートを回転させることができると共に、アジャストプレートは回転することなく軸方向に移動して、コンプレッションスプリングが捩じれることなくコンプレッションスプリングの弾力が変化するので、トルクの調節を簡単にしかも正確に行える。
【発明の効果】
【００１１】
以上説明したように本発明に係る原稿圧着板開閉装置及び事務機器によれば、スライダー内に回転可能に設けられ、弾力調節手段が、アジャスト部を有する操作プレートと、アジャスト部に軸方向に移動可能に設けられ、軸回りに回転しないと共にコンプレッションスプリングの端部が当接するアジャストプレートと、操作プレートに設けられ、スライダーに設けられた貫通孔から外部に露出されて操作プレートを回転させる操作部とを有することから、スライダーの貫通孔から外部に露出されている操作部によって操作プレートを回転させることができると共に、アジャストプレートは回転することなく軸方向に移動して、コンプレッションスプリングが捩じれることなくコンプレッションスプリングの弾力が変化するので、トルクの調節を簡単にしかも正確に行える。
【発明を実施するための最良の形態】
【００１２】
以下、本発明に係る原稿圧着板開閉装置及び原稿圧着板を備えた事務機器を添付図面に基づいて詳述する。
【００１３】
図１〜図３は本発明に係る原稿圧着板開閉装置の一例を示す図である。本発明に係る原稿圧着板開閉装置は、図１及び図２に示すように、事務機器１０の機器本体１１の後端部に、原稿圧着板１２を開閉可能に取り付けるものである。事務機器１０としては、特に限定されず、例えば、複写機、印刷機、ファクシミリ、スキャナー等が挙げられ、特に複写機が好ましいものとして挙げられるが、特に限定せずに説明する。また、原稿圧着板１２の上部には原稿自動送り装置（図示せず）が設けられているものがあるが、本発明に係る原稿圧着板開閉装置及び事務機器は、原稿自動送り装置が設けられていても設けられていなくても両方に適用可能なものである。
【００１４】
本発明に係る原稿圧着板開閉装置１は、図１〜図３に示すように、原稿圧着板１２を有する事務機器１０の機器本体１１側に取り付けられる取付部材２と、この取付部材２に第１ヒンジピン１５を軸に回動可能に取り付けられていると共に原稿圧着板１２を支持する支持部材３と、支持部材３と取付部材２との間にスライド可能に設けられた一対のスライダー６、７と、この一対のスライダー６、７に収容され、一対のスライダー６、７を取付部材２及び支持部材３にそれぞれ押し付けて原稿圧着板１２を開成方向に回転付勢するコンプレッションスプリング５とを備え、原稿圧着板１２を回動させて機器本体１１の上面を原稿圧着板１２で覆う閉成状態とその上面を露出させる開成状態とを形成するものである。この原稿圧着板開閉装置１は、支持部材３の自由端部側に、この支持部材３に重なり合うリフト部材４が第２ヒンジピン１６を軸に回動可能に取り付けられていることが好ましい。この場合、原稿圧着板１２は、リフト部材４へ取り付けられ、かつ、一対のスライダー６、７及びコンプレッションスプリング５は、リフト部材４と取付部材２との間に設けられ、リフト部材４を支持部材３と重なり合う方向へ付勢すると共に原稿圧着板１２を開成方向に回転付勢するようになっている。
【００１５】
この本発明に係る原稿圧着板開閉装置１は、一対のスライダー６、７（第１スライダー６及び第２スライダー７）の少なくとも一方のスライダー、例えば、第１スライダー６内にコンプレッションスプリング５の弾力を調節するように弾力調節手段８を設け、この弾力調節手段８が、第１スライダー６内に回転可能に設けられ、コンプレッションスプリング５内に延びるアジャスト部８２を有する操作プレート８１と、この操作プレート８１のアジャスト部８２に軸方向に移動可能に設けられ、軸回りに回転しないと共にコンプレッションスプリング５の端部が当接するアジャストプレート８４と、操作プレート８１に設けられ、第１スライダー６の閉塞部６２に設けられた貫通孔６１から外部に露出される操作部８３とを有し、この操作部８３を介して操作プレート８１を回転させてアジャスト部８２に対するアジャストプレート８４の位置を調節してコンプレッションスプリング５の弾力を調節するように構成したことに特徴がある。
【００１６】
取付部材２は、例えば、機器本体１１に取り付けられる底板２１と、底板２１の両側端部からそれぞれ底板２１に対して直交する上方向（略直交する方向も含む。）に延びる両側板２２と、底板２１の一端部（後端部）から底板２１に対して直交する上方向（略直交する方向も含む。）に延びる略矩形状の後板２３とからなる。
【００１７】
底板２１は、略矩形状に形成され、ネジやビス等で機器本体１１に取り付けられる。側板２２には、第１ヒンジピン１５が回り止め付きの軸受け（図示せず）を介して挿通されるシャフト孔（図示せず）が設けられている。側板２２のシャフト孔より前方で、かつ、内側（前方）に偏した位置には、受圧ローラ１７が挿通される受圧孔（図示せず）が設けられている。受圧ローラ１７は、第２スライダー７が当接する受圧部材であり、この受圧部材は、受圧ローラに限定されず、受圧ピンなどのピンやその他の部材であってもよい。
【００１８】
支持部材３は、例えば、天板である上板３１と、上板３１の両側端部からそれぞれ上板３１に対して直交する下方向（略直交する方向も含む。）に延びる両側板３２と、側板３２の先端部を互いに対向する側に略９０°折り曲げてなる拘持板３３とからなる。これらの上板３１、両側板３２、拘持板３３で一対の第１スライダー６及び第２スライダー７をスライド可能に収容する収容部３４が構成されている。
【００１９】
両側板３２の一端部（後端部）には、シャフト挿通孔（図示せず）が設けられている。これらシャフト挿通孔と取付部材２の両側板２２のシャフト孔とが孔合わせされると共にこれら孔の間すなわち支持部材３の側板３２と取付部材２の側板２２との間に例えばワッシャー（図示せず）が設けられて、これら孔及びワッシャーに第１ヒンジピン１５が挿通されることによって、支持部材３が取付部材２に対して第１ヒンジピン１５を軸に回動可能に連結されている。
【００２０】
また、両側板３２の他端部（前端部（自由端部））には、第２ヒンジピン１６が挿通される第２ヒンジピン孔３６が設けられていると共に、後述する作動ピン１８が入り込む切欠部３７が設けられている。また、両側板３２には、例えば、支持部材３に対するリフト部材４の回動を行うための摺接部（図示せず）を設けてもよい。摺接部は、例えば、両側板３２の第２ヒンジピン孔３６と切欠部３７との間に略円状に２つ形成されている。これらの摺接部は、リフト部材４の側板４２の内面に接して支持部材３の側板３２の外面とリフト部材４の側板４２の内面との間にクリアランスを設けることにより、支持部材３に対するリフト部材４の回動が良好に行われるようにするためのものである。
【００２１】
リフト部材４は、厚さが厚い原稿も機器本体１１の上面に安定して圧着させるためのものである。リフト部材４は、原稿圧着板１２の後端側にネジやビス等で取り付けられる矩形平板状の上板４１と、この上板４１の両端部からそれぞれ上板４１に対して直交する下方向（略直交する方向も含む。）に延びる両側板４２とから略コ字状であって支持部材３を覆うように形成されている。
【００２２】
リフト部材４の一端部（前端部（取付部材２とは反対側の端部））の中央より上板４１側の箇所には第２ヒンジピン挿通孔（図示せず）が設けられていると共に、第２ヒンジピン挿通孔より他端部側で、かつ、中央より上板４１側とは反対側の箇所には作動部材である作動ピン１８が挿通される作動ピン孔（図示せず）が設けられている。第２ヒンジピン挿通孔と支持部材３の両側板３２の第２ヒンジピン孔３６とが孔合わせされてこれら孔３６に第２ヒンジピン１６が挿通されることによって、リフト部材４と支持部材３とが第２ヒンジピン１６を軸に互いに回動可能に連結されている。また、両側板４２の作動ピン孔に作動ピン１８が挿通されて固定されている。
【００２３】
また、上板４１の後端部近傍に、原稿圧着板１２の水平位置を調節する水平位置調節手段４５を設けるようにしてもよい。水平位置調節手段４５は、例えば、上板４１の後端部近傍であってその幅方向の中央部（略中央部を含む。）に設けられた調節ネジ４６と締結ナット４７とからなる。締結ナット４７が上板４１に固定され、この締結ナット４７に調節ネジ４６が螺合されると共に、調節ネジ４６の先端が支持部材３の上板３１に当接して、調節ネジ４６の調節により支持部材３とリフト部材４との間隔が調節されて、原稿圧着板１２の水平位置が調節されるようになっている。
【００２４】
コンプレッションスプリング５は、原稿圧着板１２を開成方向に回転付勢すると共に、リフト部材４を支持部材３と重なり合う方向へ付勢し、かつ、原稿圧着板１２が任意の回動角度以下のとき、原稿圧着板１２を付勢する弾力が原稿圧着板１２のモーメントより小さいものである。なお、本発明において開成方向とは、原稿圧着板１２を回転させる際に原稿圧着板１２が機器本体１１の上部のコンタクトガラス１３から離間する方向をいう。本発明において閉成方向とは、開成方向とは反対の方向で原稿圧着板１２を回転させる際に原稿圧着板１２がコンタクトガラス１３に近づく方向をいう。本発明における回動角度とは、機器本体１１の上面であるコンタクトガラス１３面に対する原稿圧着板１２の角度である。本発明における任意の回動角度とは、コンプレッションスプリング５の弾力により任意に設定されるもので、例えば、コンプレッションスプリング５による原稿圧着板１２を付勢する弾力が原稿圧着板１２のモーメントより小さくなる角度で、例えば略２０°以下の角度である。
【００２５】
コンプレッションスプリング５は、その個数は特に限定されず、１つでも２つ以上でもよく、また、２つ以上を並列させてもよく、例えば、図示例では、径の大きなコンプレッションスプリング５１の中に径の小さなコンプレッションスプリング５２を入れたものを２組並列させてもよい。すなわち、コンプレッションスプリング５は、原稿圧着板１２を開成方向に回転付勢すると共に、原稿圧着板１２が任意の回動角度（例えば、略２０°）以下のとき、原稿圧着板１２を付勢する弾力が原稿圧着板１２のモーメントより小さくなるならばどのように構成してもよい。
【００２６】
第１スライダー６及び第２スライダー７は、それぞれ断面矩形の有底筒体状に形成されている。第１スライダー６及び第２スライダー７は、２組のコンプレッションスプリング５の端部をそれぞれ個別に収容するスプリング収容部６５、７５が２つそれぞれ設けられている。操作プレート８１が設けられている第１スライダー６のスプリング収容部６５の内形は、円形以外の形状、例えば、楕円形、三角形、矩形、５角形以上の多角形などの横断面非円形（図示例では８角形（図４参照。））に形成されている。第２スライダー７のスプリング収容部７５の内形は、第１スライダー６のスプリング収容部６５と同じ形状等の横断面非円形に形成してもよいし、円形に形成してもよい。また、第１スライダー６の一方のスプリング収容部６５を形成する底部には、その略同軸上に円形の貫通孔６１が設けられている。
【００２７】
第１スライダー６及び第２スライダー７は、互いの開口部が向き合うと共にこれらの間にコンプレッションスプリング５の両端部が収容された状態で支持部材３の収容部３４にそれぞれ個別に摺動可能に収装された状態で挿入されている。第１スライダー６及び第２スライダー７は、取付部材２の底板２１と支持部材３（上板３１）が略平行になっているとき（例えば機器本体１１の上面のコンタクトガラス１３上に原稿圧着板１２を密着させたとき（原稿圧着板１２が閉成位置にあるとき））、支持部材３の収容部３４内に嵌合される長さで形成されている。
【００２８】
第１スライダー６がコンプレッションスプリング５の弾力によって作動ピン１８を押圧して、支持部材３とリフト部材４とが重なり合うように付勢される。すなわち、コンプレッションスプリング５の弾力によってリフト部材４の上板４１が支持部材３の上板３１に当接又は近接するようになっている。このとき、上板４１が例えばコンタクトガラス１３に対して略平行になるようになっていることが好ましい。なお、支持部材３の上板３１にリフト部材４の上板４１を当接又は近接するようにしてもよい。
【００２９】
第２スライダー７の底部（閉塞部ということがある。）の外表面の略中央部には、突部７１が設けられている。この突部７１の下方は漸次傾斜された傾斜部７２として形成されている。この第２スライダー７の底部の外表面の突部７１及び傾斜部７２がカムとして形成されている。すなわち、閉成位置にある原稿圧着板１２（図１参照。）をコンタクトガラス１３から離間する方向（上方）に第１ヒンジピン１５を軸に回転させると、受圧ローラ１７に当接する箇所が突部７１から傾斜部７２へと徐々に摺動すると共に、第２スライダー７がコンプレッションスプリング５によって支持部材３内を後端部側へと押圧されて摺動し、コンプレッションスプリング５が徐々に伸びる（図２参照。）。そして、原稿圧着板１２が最大使用開放角度（例えば、略６０°〜略７０°）になると、その開閉が原稿圧着板開閉規制機構（図示せず）によって規制されるようになっている。なお、図１及び図２中、符号７３は延出片を示している。この延出片７３は、例えば、第２スライダー７の幅より若干短い寸法の幅で形成されていることが好ましい。これにより、受圧ローラ１７の外表面に第２スライダー７との摺接を円滑にする潤滑用のグリスが塗布されていても、延出片７３が受圧ローラ１７の外周の大部分を覆うために、原稿圧着板１２によって押圧されることによって変形した原稿の端部が受圧ローラ１７へはみ出しても、この端部がグリスが塗布されている受圧ローラ１７に接触して汚れてしまうことはないようになっている。
【００３０】
弾力調節手段８は、コンプレッションスプリング５の弾力を調節するものである。弾力調節手段８は、全てのコンプレッションスプリング５の弾力を調節するようにしてもよいし、任意のコンプレッションスプリング５の両端部や一方の端部に設けるようにしてもよく、例えば、２組のコンプレッションスプリング５の一方のコンプレッションスプリング５の一方の端部（第１スライダー６側の端部）にのみ設けるようにしてもよい。弾力調節手段８は、一対のスライダー６、７の少なくとも一方のスライダー例えば第１スライダー６内に回転可能に設けられ、コンプレッションスプリング５内に延びるアジャスト部８２を有する操作プレート８１と、この操作プレート８１のアジャスト部８２に軸方向に移動可能に設けられ、軸回りに回転しないと共にコンプレッションスプリング５の端部が当接するアジャストプレート８４と、操作プレート８１に設けられ、第１スライダー６に設けられた貫通孔６１から外部に露出される操作部８３とを備えてなる。
【００３１】
操作プレート８１は、図１〜図３及び図５に示すように、例えば、第１スライダー６のスプリング収容部６５内で回転可能な円板状に形成されている。この操作プレート８１の一方の面には、その軸方向であってコンプレッションスプリング５内に延びるアジャスト部８２が設けられている。アジャスト部８２は、例えば、棒状に形成され、この外周にネジ溝が設けられている。また、操作プレート８１の他方の面には、その軸方向に延びる操作部８３が設けられている。操作部８３は、第１スライダー６の貫通孔６１に回転可能に嵌合される円形に突出して形成されている。操作部８３の突出長さは、貫通孔６１を貫通する寸法であってもよいし、貫通孔６１より短い寸法であってもよい。操作部８３の先端面には、例えば、ドライバー等の工具により操作プレート８１を第１スライダー６内で簡単に回転させることができる操作凹部８３ａが設けられている。
【００３２】
アジャストプレート８４は、図３及び図６に示すように、第１スライダー６のスプリング収容部６５内でその軸方向に移動可能であるが、軸回りに回転しない形状、例えば、スプリング収容部６５より若干小さな平面非円形の例えば８角形状の板状に形成されている。すなわち、アジャストプレート８４は、スプリング収容部６５に嵌合されて軸回りに回転しないと共に、スプリング収容部６５の軸方向に移動可能な形状に形成されている。このアジャストプレート８４の略中央部には、アジャスト部８２に螺合するアジャスト孔８４ａを有する螺合部８４ｂが突出されており、操作プレート８１が回転することによりアジャストプレート８４がアジャスト部８２に対してその軸方向に移動するようになっている。このアジャストプレート８４にコンプレッションスプリング５の端部が当接しており、アジャストプレート８４の位置が変わることによりコンプレッションスプリング５の弾力が調節されるようになっている。
【００３３】
また、コンプレッションスプリング５内に、ダンパー装置（図示せず）を設けるようにしてもよい。このダンパー装置は、原稿圧着板１２が閉成方向に回転したとき、原稿圧着板１２の任意の回動角度以下の特定の回動角度以下（例えば略１０°以下）においてのみその原稿圧着板１２の回転速度を低減させるように動作するものである。ダンパー装置は、例えば、オイルダンパ装置等である。
【００３４】
次に、本発明に係る原稿圧着板開閉装置１及び事務機器１０の作用を説明する。
【００３５】
原稿圧着板１２は、機器本体１１が使用されていない状態では、図１に示すように、機器本体１１のコンタクトガラス１３に密着されている。コンタクトガラス１３上に原稿を載置するには、まず、リフト部材４が取り付けられている箇所とは反対側の原稿圧着板１２の端部又はその近傍等に設けられている把持部を持って、図２に示すように、原稿圧着板１２を上方に持ち上げる。すなわち、原稿圧着板１２を第１ヒンジピン１５を軸にのみ回転させてコンタクトガラス１３面を外部に露出させる。このように原稿圧着板１２を回転させるとき、原稿圧着板１２は、コンプレッションスプリング５の弾力によって開成方向に回転付勢されているので、重量を感じさせることなく開成方向に回転することができる。
【００３６】
露出したコンタクトガラス１３面上に原稿を載置した後、持ち上げた原稿圧着板１２を降ろす。すなわち、原稿圧着板１２をコンタクトガラス１３と接触する閉成方向に第１ヒンジピン１５を軸に回転させて下方に移動させて閉成状態にする。原稿圧着板１２が閉成状態になると、原稿が薄い紙である場合には、原稿圧着板１２によって原稿をコンタクトガラス１３上から浮き上がることなく確実にコンタクトガラス１３に密着させることができるので、原稿を良好に複写等することができる。すなわち、原稿圧着板１２とコンタクトガラス１３との間に光が入らないように原稿圧着板１２がコンタクトガラス１３に密着されて、原稿を良好に複写等することができる。
【００３７】
また、原稿が例えば本のように厚さが厚い場合、原稿圧着板１２を閉成方向に回転させると、原稿の支持部材３側の端部又はその近傍に原稿圧着板１２の支持部材３の近傍の一部が接触し、原稿の支持部材３側の端部とは反対側の端部と原稿圧着板１２との間に空間が形成される。すなわち、原稿圧着板１２は浮いた状態となる。その浮いている原稿圧着板１２をコンタクトガラス１３側に押圧したり原稿圧着板１２の自重により、作動ピン１８が第１スライダー６を押圧してコンプレッションスプリング５の弾力に抗して第１スライダー６がコンプレッションスプリング５側に移動すると共に、原稿圧着板１２（リフト部材４）が第２ヒンジピン１６を軸に回転する。つまり、原稿の上部を覆うように原稿圧着板１２が移動する。例えば、その原稿の上部が平坦面である場合には、この上部に原稿圧着板１２が面接触する。その結果、厚さが厚い原稿が安定してコンタクトガラス１３に密着されることになる。よって、原稿圧着板１２は、原稿の厚さに関係なく原稿を安定してコンタクトガラス１３に密着することができ、原稿を良好に複写等することができる。
【００３８】
このような本発明に係る原稿圧着板開閉装置１及び事務機器１０では、弾力調節手段８が設けられているので、コンプレッションスプリング５の弾力を変化させて支持部材３の回転トルクを調節することができる。すなわち、ドライバー等の工具を操作部８３の操作凹部８３ａに係合させた後、この工具を軸周りに回転させると、この工具の回転に伴って第１スライダー６内に設けられている操作プレート８１が適宜回転する。すると、アジャスト部８２が回転してこのアジャスト部８２に対してアジャストプレート８４が第１スライダー６のスプリング収容部６５内をその軸方向に移動する。このアジャストプレート８４には、コンプレッションスプリング５の端部が当接されているために、このコンプレッションスプリング５の両端部間の長さが変わってコンプレッションスプリング５の弾力が変化する。例えば、操作プレート８１を一方の方向に回転させると、アジャストプレート８４が操作プレート８１に近づく方向に移動してバネ荷重が弱くなり、他方、操作プレート８１を他方の方向に回転させると、アジャストプレート８４が操作プレート８１から離れる方向に移動してバネ荷重が強くなる。このようにバネ荷重を変えることにより、トルクの調節を行うことができる。
【００３９】
このように、操作プレート８１を回転させると、アジャスト部８２に対するアジャストプレート８４は回転することなく軸方向に移動するために、コンプレッションスプリング５は捩じれることなく両端部間の長さが変わってコンプレッションスプリング５の弾力が変化するので、トルクの調節を正確に行える。
【００４０】
また、操作部８３が第１スライダー６の貫通孔６１から外部に露出されているために、操作プレート８１の操作が簡単であるので、トルクの調節を簡単に行えることになる。また、操作部８３を操作する貫通孔６１が原稿圧着板開閉装置１の先端部である第１スライダー６の端部（閉塞部）に設けられているので、操作性がよく、一層容易にトルクの調節を行える。
【００４１】
したがって、本発明に係る原稿圧着板開閉装置１及び事務機器１０は、トルクの調節を簡単にしかも正確に行える。これにより、ハネや中折れを簡単にしかも確実に防止することができる。すなわち、バネ荷重が強すぎると、原稿圧着板１２を開成方向に回転させるとき、その回転途中でコンプレッションスプリング５の弾力により原稿圧着板１２が自動的に回転する、いわゆるハネ現象が発生することがあるが、バネ荷重を適切に調節することができ、ハネを簡単にしかも確実に防止することができる。また、バネ荷重が弱すぎると、原稿圧着板１２を閉成方向に回転させるとき、その回転途中でコンプレッションスプリング５の弾力に抗して第２ヒンジピン１６を軸に支持部材３に対してリフト部材４が回転する、いわゆる中折れ現象が発生することがあるが、バネ荷重を適切に調節することができ、中折れを簡単にしかも確実に防止することができる。
【産業上の利用可能性】
【００４２】
以上説明したように本発明に係る原稿圧着板開閉装置は、スライダー内に回転可能に設けられ、アジャスト部を有する操作プレートと、アジャスト部に軸方向に移動可能に設けられ、軸回りに回転しないと共にコンプレッションスプリングの端部が当接するアジャストプレートと、操作プレートに設けられ、スライダーに設けられた貫通孔から外部に露出されて操作プレートを回転させる操作部とを備えたことから、スライダーの貫通孔から外部に露出されている操作部によって操作プレートを回転させることができると共に、アジャストプレートは回転することなく軸方向に移動して、コンプレッションスプリングが捩じれることなくコンプレッションスプリングの弾力が変化するので、トルクの調節を簡単にしかも正確に行えることから、特に複写機、印刷機、ファクシミリ、スキャナー等の事務機器の原稿圧着板開閉装置として好適に用いられるものである。
【図面の簡単な説明】
【００４３】
【図１】本発明に係る原稿圧着板開閉装置を備えた事務機器の一例を示し、原稿圧着板を閉じた状態を示す概略側断面図である。
【図２】本発明に係る原稿圧着板開閉装置を備えた事務機器の一例を示し、原稿圧着板を開いた状態を示す概略側断面図である。
【図３】本発明に係る原稿圧着板開閉装置の一例を示す正面図である。
【図４】本発明に係る第１スライダーの一例を示す正面図である。
【図５】本発明に係る操作プレートの一例を示す図で、（ａ）は平面図、（ｂ）は側面図である。
【図６】本発明に係るアジャストプレートの一例を示す図で、（ａ）は平面図、（ｂ）は側面図、（ｃ）は断面図である。
【符号の説明】
【００４４】
１  原稿圧着板開閉装置
２  取付部材
３  支持部材
４  リフト部材
５  コンプレッションスプリング
６  第１スライダー
７  第２スライダー
８  弾力調節手段
１０  事務機器
１１  機器本体
１２  原稿圧着板
６１  貫通孔
６２  閉塞部
８１  操作プレート
８２  アジャスト部
８３  操作部
８４  アジャストプレート
８４ａ  アジャスト孔
【図１】
0005429767.tif 000002
【図２】
0005429767.tif 000003
【図３】
0005429767.tif 000004
【図４】
0005429767.tif 000005
【図５】
0005429767.tif 000006
【図６】
0005429767.tif 000007